(57)【要約】  【課題】従来のようにゴルフクラブヘッドに依存して変化するヘッドスピードと異なるゴルフスウィングの特性評価を行う評価方法、この評価方法で得られた評価結果を用いて行うゴルフクラブの選択方法、さらに、評価結果に応じてゴルフクラブの設計を行うゴルフクラブ設計方法を提供する。  【解決手段】ゴルフクラブシャフトの軸線と直交する方向を軸としてゴルフクラブの打撃方向にゴルフクラブが回転するときのゴルフクラブの慣性モーメント、ゴルフクラブの長さ、ゴルフクラブの総質量およびゴルフクラブの重心点位置のうちの少なくとも２つをパラメータとして、このパラメータの間の関係を拘束する拘束条件を、ゴルフスウィング時のゴルフボール打撃直前のゴルフクラブの打撃方向に向けて回転する回転エネルギ量を既知として定める。この拘束条件を満たすように２つのパラメータの値を定めてゴルフクラブを設計する。【選択図】図６
2005334249.tif 000002
【特許請求の範囲】
【請求項１】
ゴルフクラブシャフトの中心軸と直交する方向を軸としてゴルフクラブの打撃方向にゴルフクラブが回転するときのゴルフクラブの慣性モーメント、ゴルフクラブの長さ、ゴルフクラブの総質量およびゴルフクラブの重心点位置のうちの少なくとも２つをパラメータとしてゴルフクラブを設計するゴルフクラブ設計方法であって、
予め定められた、ゴルフスウィング時のゴルフボール打撃直前のゴルフクラブの打撃方向に向けて回転する回転エネルギ量から、前記パラメータの少なくとも２つの間の関係を拘束する拘束条件を定めるステップと、
この拘束条件を満たすように２つのパラメータの値を定めてゴルフクラブを設計するステップと、を有することを特徴とするゴルフクラブ設計方法。
【請求項２】
前記回転エネルギ量は、前記ゴルフクラブ長さ、前記ゴルフクラブの総質量、前記慣性モーメントおよび前記ゴルフクラブの重心点位置が既知のゴルフクラブをゴルファがゴルフスウィングすることによって得られるゴルファのゴルフスウィング固有の量である請求項１に記載のゴルフクラブ設計方法。
【請求項３】
前記ゴルフクラブ長さ、前記ゴルフクラブの総質量、前記慣性モーメントおよび前記重心点位置が既知であって、これらのうち少なくとも１つの値が異なる複数種類のゴルフクラブをゴルフスウィングすることによって前記回転エネルギ量は求められ、この回転エネルギ量が前記拘束条件を定めるために用いられる請求項２に記載のゴルフクラブ設計方法。
【請求項４】
前記拘束条件を定めるステップは、ヘッドスピードをＨＳとしたとき、このヘッドスピードＨＳが予め定められた目標ヘッドスピードになるように、前記回転エネルギ量をＥとして下記式（１）を用いて前記拘束条件を定める請求項１〜３のいずれか１項に記載のゴルフクラブ設計方法。
１／２・［Ｉｃ＋Ｗ・（Ｘ＋ｌ）2］・[ＨＳ／（Ｘ＋Ｌ）]2  ＝Ｅ      （１）
なお、Ｉcはゴルフクラブの重心点における前記慣性モーメントであり、Ｗはゴルフクラブの総質量であり、ｌはゴルフクラブのグリップ端からゴルフクラブの重心点への距離であり、Ｘは所定の定数であり、Ｌはゴルフクラブの長さである。
【請求項５】
前記ゴルフクラブを設計するステップは、
前記パラメータの値を所定の範囲内で変化させることによってヘッドスピードを算出するステップと、
算出したヘッドスピードと、ゴルフクラブヘッドのゴルフボールへの打撃特性とを用いてゴルフボールの初期弾道を算出するステップと、
前記ヘッドスピードを算出するステップと前記初期弾道を算出するステップとを、前記初期弾道が目標初期弾道に最も近くなるように繰り返し行うステップと、
初期弾道が前記目標初期弾道に最も近いときの前記パラメータの値を決定して、ゴルフクラブを設計するステップと、を有する請求項１〜４のいずれか１項に記載のゴルフクラブ設計方法。
【請求項６】
ゴルフクラブシャフトの中心軸と直交する方向を軸としてゴルフクラブの打撃方向にゴルフクラブが回転するときのゴルフクラブの慣性モーメント、ゴルフクラブ長さ、ゴルフクラブの総質量およびゴルフクラブの重心点位置が既知のゴルフクラブを用いて成されたゴルフスウィングから、ゴルフスウィングの特性を評価する方法であって、
ゴルフスウィングのゴルフボール打撃直前のヘッドスピードを計測するステップと、
計測されたヘッドスピードと、前記慣性モーメントと、前記ゴルフクラブ長さと、前記ゴルフクラブの総質量と、前記ゴルフクラブの重心点位置とを用いてゴルフクラブによるゴルフボールの打撃直前のゴルフクラブの打撃方向に向かって回転するゴルフクラブの回転エネルギ量を求め、この回転エネルギ量に基づいてゴルファのゴルフスウィングを評価するステップと、を有することを特徴とするゴルフスウィング特性評価方法。
【請求項７】
前記ゴルフスウィングに用いるゴルフクラブは、前記ゴルフクラブ長さ、前記ゴルフクラブの総質量および前記慣性モーメントのいずれか１つの値が少なくとも異なる複数本のゴルフクラブであり、
前記回転エネルギ量をＥとして、この回転エネルギ量Ｅが、前記複数本のゴルフクラブによるゴルフスウィングにおいて所定の許容範囲内で一致して算出されるように、前記式（１）で表される定数Ｘの値を定めることによって前記回転エネルギ量Ｅを求める請求項６に記載のゴルフスウィング特性評価方法。
【請求項８】
さらに、前記式（１）で表される［Ｉｃ＋Ｗ・（Ｘ＋ｌ）2］の値をゴルフスウィング時におけるゴルフクラブの重さを表す指標として評価するステップとを有する請求項７に記載のゴルフスウィング特性評価方法。
【請求項９】
ゴルフクラブシャフトの中心軸と直交する方向を軸としてゴルフクラブの打撃方向に向かってゴルフクラブが回転するときのゴルフクラブの慣性モーメントと、ゴルフクラブ長さと、ゴルフクラブの総質量と、ゴルフクラブの重心点位置とが既知の複数本のゴルフクラブの中からゴルフクラブを選択する方法であって、
予め定められた、ゴルフスウィング時のゴルフボール打撃直前のゴルフクラブの打撃方向の回転エネルギ量と、前記複数のゴルフクラブのそれぞれの前記ゴルフクラブ長さと、前記ゴルフクラブの総質量と、前記慣性モーメントと、前記重心点位置とを用いてゴルフボール打撃直前のヘッドスピードを、前記複数本のゴルフクラブのそれぞれについて求めるステップと、
求められたヘッドスピードのうち、目標ヘッドスピードに最も近いヘッドスピードを呈するゴルフクラブを選択するステップと、を有することを特徴とするゴルフクラブ選択方法。
【請求項１０】
ゴルフクラブシャフトの中心軸と直交する方向を軸としてゴルフクラブの打撃方向に向かってゴルフクラブが回転するときのゴルフクラブの慣性モーメントと、ゴルフクラブ長さと、ゴルフクラブの総質量と、ゴルフクラブの重心点位置と、ゴルフクラブヘッドの打撃特性とがそれぞれ既知の複数本のゴルフクラブの中からゴルフクラブを選択する方法であって、
予め定められた、ゴルフスウィング時のゴルフボール打撃直前のゴルフクラブの打撃方向に向かって回転する回転エネルギ量と、前記複数のゴルフクラブのそれぞれの前記ゴルフクラブ長さと、前記ゴルフクラブの総質量と、前記慣性モーメントとを用いてゴルフボール打撃直前のヘッドスピードを、前記複数のゴルフクラブのそれぞれについて求めるステップと、
求められたヘッドスピードと、ゴルフクラブヘッドのゴルフボールへの打撃特性とを用いてゴルフボールの初期弾道を算出することにより、目標初期弾道に最も近い初期弾道を呈するゴルフクラブを選択するステップと、を有することを特徴とするゴルフクラブ選択方法。
【請求項１１】
前記回転エネルギ量は、前記ゴルフクラブ長さと、前記ゴルフクラブの総質量と、前記慣性モーメントと、前記ゴルフクラブの重心点位置とが既知のゴルフクラブをゴルファがゴルフスウィングすることによって得られるゴルファのゴルフスウィング固有の量である請求項９または１０に記載のゴルフクラブ選択方法。
【請求項１２】
前記複数本のゴルフクラブのそれぞれのヘッドスピードを求めるステップは、前記式（１）を用いてヘッドスピードを求める請求項９〜１１のいずれか１項に記載のゴルフクラブ選択方法。
【発明の詳細な説明】
【技術分野】
【０００１】
本発明は、ゴルフクラブを設計するゴルフクラブ設計方法、ゴルファによるゴルフスウィング特性を評価するゴルフスウィング特性評価方法およびゴルファのゴルフスウィングが所望のゴルフスウィングとなるようにゴルフクラブを選択するゴルフクラブ選択方法に関する。
【背景技術】
【０００２】
ゴルファはゴルフボールを遠くに飛球させるために、長尺ゴルフクラブや反発特性の優れたゴルフクラブを求めている。
ゴルファがゴルフスウィングしたときのヘッドスピードは、ゴルフクラブの仕様、例えばゴルフクラブ長さ、ゴルフクラブの総質量あるいはゴルフクラブのバランス等によって変化することが知られている。このため、ヘッドスピードを上昇させてゴルフボールを遠くに飛球させる、自分に適したゴルフクラブを探し出すために、ゴルファは多数のゴルフクラブを試打する。
また、同じゴルフクラブであっても、ゴルファによってヘッドスピードが上昇したり、ヘッドスピードの上昇が見られない場合も多い。
【０００３】
ところで、従来からゴルフスウィングの特性の評価は、ゴルフボールによる打撃直前のヘッドスピードを用いて行われている。そして、ヘッドスピードの大小の評価に応じてゴルファを大まかに分類し、この部類毎に異なる仕様のゴルフクラブを提供することが行われている。
しかし、ヘッドスピードはゴルファに固有のものではなく、ゴルファのゴルフスウィングとゴルフクラブの仕様との組み合わせによって定まる結果である。このため、自分に適したゴルフクラブを探し出すために、ゴルフクラブの仕様によって評価が変化するヘッドスピードを用いたのでは、正確にゴルファのゴルフスウィングを分類して、これに適したゴルフクラブを提供することは難しい。
したがって、自分に適したゴルフクラブを選択するには、ゴルファによる多数のゴルフクラブの試打が大前提となっている。このため、自分に最適なゴルフクラブは試打するゴルフクラブの中からしか選択できず、必ずしも自分に最適なゴルフクラブを見つけ出すことができるとは限らない。
【０００４】
一方、ゴルフクラブ開発業者は、ヘッドスピードによって分類される分類毎に平均的なゴルファのゴルフスウィングを想定して、ゴルファが最適と感ずる仕様のゴルフクラブを設計して市場に提供しているが、このゴルフクラブの仕様は明確に定まって設計されているものでもない。
【発明の開示】
【発明が解決しようとする課題】
【０００５】
そこで、本発明は、従来のようにゴルフクラブの仕様に依存して変化するヘッドスピードと異なる方法でゴルフスウィングの特性評価を行う評価方法を提供するとともに、この評価方法で得られた評価結果を用いて行うゴルフクラブの選択方法を提供し、さらに、前記評価結果に応じてゴルフクラブの設計を行うゴルフクラブ設計方法を提供することを目的とする。
【課題を解決するための手段】
【０００６】
上記目的を達成するために、本発明は、ゴルフクラブシャフトの中心軸と直交する方向を軸としてゴルフクラブの打撃方向にゴルフクラブが回転するときのゴルフクラブの慣性モーメント、ゴルフクラブの長さ、ゴルフクラブの総質量およびゴルフクラブの重心点位置のうちの少なくとも２つをパラメータとしてゴルフクラブを設計するゴルフクラブ設計方法であって、予め定められた、ゴルフスウィング時のゴルフボール打撃直前のゴルフクラブの打撃方向に向けて回転する回転エネルギ量から、前記パラメータの少なくとも２つの間の関係を拘束する拘束条件を定めるステップと、この拘束条件を満たすように２つのパラメータの値を定めてゴルフクラブを設計するステップと、を有することを特徴とするゴルフクラブ設計方法を提供する。
【０００７】
ここで、前記回転エネルギ量は、前記ゴルフクラブ長さ、前記ゴルフクラブの総質量、前記慣性モーメントおよび前記ゴルフクラブの重心点位置が既知のゴルフクラブをゴルファがゴルフスウィングすることによって得られるゴルファのゴルフスウィング固有の量である。
前記ゴルフクラブ長さ、前記ゴルフクラブの総質量、前記慣性モーメントおよび前記重心点位置が既知であって、これらのうち少なくとも１つの値が異なる複数種類のゴルフクラブをゴルフスウィングすることによって前記回転エネルギ量は求められ、この回転エネルギ量が前記拘束条件を定めるために用いられるのが好ましい。
【０００８】
前記拘束条件を定めるステップは、例えばヘッドスピードをＨＳとしたとき、このヘッドスピードＨＳが予め定められた目標ヘッドスピードになるように、前記回転エネルギ量をＥとして下記式（１）を用いて前記拘束条件を定める。
１／２・［Ｉｃ＋Ｗ・（Ｘ＋ｌ）2］・[ＨＳ／（Ｘ＋Ｌ）]2  ＝Ｅ      （１）
なお、Ｉcはゴルフクラブの重心点における前記慣性モーメントであり、Ｗはゴルフクラブの総質量であり、ｌはゴルフクラブのグリップ端からゴルフクラブの重心点への距離であり、Ｘは所定の定数であり、Ｌはゴルフクラブの長さである。定数Ｘは−l（＝−１×距離ｌ）以上２０００ｍｍ以下である。
【０００９】
前記ゴルフクラブを設計するステップは、前記パラメータの値を所定の範囲内で変化させることによってヘッドスピードを算出するステップと、算出したヘッドスピードと、ゴルフクラブヘッドのゴルフボールへの打撃特性とを用いてゴルフボールの初期弾道を算出するステップと、前記ヘッドスピードを算出するステップと前記初期弾道を算出するステップとを、前記初期弾道が目標初期弾道に最も近くなるように繰り返し行うステップと、初期弾道が前記目標初期弾道に最も近いときの前記パラメータの値を決定して、ゴルフクラブを設計するステップと、を有するものであってもよい。
【００１０】
また、本発明は、ゴルフクラブシャフトの中心軸と直交する方向を軸としてゴルフクラブの打撃方向にゴルフクラブが回転するときのゴルフクラブの慣性モーメント、ゴルフクラブ長さ、ゴルフクラブの総質量およびゴルフクラブの重心点位置が既知のゴルフクラブを用いて成されたゴルフスウィングから、ゴルフスウィングの特性を評価する方法であって、ゴルフスウィングのゴルフボール打撃直前のヘッドスピードを計測するステップと、計測されたヘッドスピードと、前記慣性モーメントと、前記ゴルフクラブ長さと、前記ゴルフクラブの総質量と、前記ゴルフクラブの重心点位置とを用いてゴルフクラブによるゴルフボールの打撃直前のゴルフクラブの打撃方向に向かって回転するゴルフクラブの回転エネルギ量を求め、この回転エネルギ量に基づいてゴルファのゴルフスウィングを評価するステップと、を有することを特徴とするゴルフスウィング特性評価方法を提供する。
【００１１】
その際、前記ゴルフスウィングに用いるゴルフクラブは、前記ゴルフクラブ長さ、前記ゴルフクラブの総質量および前記慣性モーメントのいずれか１つの値が少なくとも異なる複数本のゴルフクラブであり、前記回転エネルギ量をＥとして、この回転エネルギ量Ｅが、前記複数本のゴルフクラブによるゴルフスウィングにおいて所定の許容範囲内で一致して算出されるように、前記式（１）で表される定数Ｘの値を定めることによって前記回転エネルギ量Ｅを求めるのが好ましい。
さらに、前記式（１）で表される［Ｉｃ＋Ｗ・（Ｘ＋ｌ）2］の値をゴルフスウィング時におけるゴルフクラブの重さを表す指標として評価するステップとを有するのも好ましい。
【００１２】
また、本発明は、ゴルフクラブシャフトの中心軸と直交する方向を軸としてゴルフクラブの打撃方向に向かってゴルフクラブが回転するときのゴルフクラブの慣性モーメントと、ゴルフクラブ長さと、ゴルフクラブの総質量と、ゴルフクラブの重心点位置とが既知の複数本のゴルフクラブの中からゴルフクラブを選択する方法であって、予め定められた、ゴルフスウィング時のゴルフボール打撃直前のゴルフクラブの打撃方向の回転エネルギ量と、前記複数のゴルフクラブのそれぞれの前記ゴルフクラブ長さと、前記ゴルフクラブの総質量と、前記慣性モーメントと、前記重心点位置とを用いてゴルフボール打撃直前のヘッドスピードを、前記複数本のゴルフクラブのそれぞれについて求めるステップと、求められたヘッドスピードのうち、目標ヘッドスピードに最も近いヘッドスピードを呈するゴルフクラブを選択するステップと、を有することを特徴とするゴルフクラブ選択方法を提供する。
【００１３】
さらに、本発明は、ゴルフクラブシャフトの中心軸と直交する方向を軸としてゴルフクラブの打撃方向に向かってゴルフクラブが回転するときのゴルフクラブの慣性モーメントと、ゴルフクラブ長さと、ゴルフクラブの総質量と、ゴルフクラブの重心点位置と、ゴルフクラブヘッドの打撃特性とがそれぞれ既知の複数本のゴルフクラブの中からゴルフクラブを選択する方法であって、予め定められた、ゴルフスウィング時のゴルフボール打撃直前のゴルフクラブの打撃方向に向かって回転する回転エネルギ量と、前記複数のゴルフクラブのそれぞれの前記ゴルフクラブ長さと、前記ゴルフクラブの総質量と、前記慣性モーメントとを用いてゴルフボール打撃直前のヘッドスピードを、前記複数のゴルフクラブのそれぞれについて求めるステップと、求められたヘッドスピードと、ゴルフクラブヘッドのゴルフボールへの打撃特性とを用いてゴルフボールの初期弾道を算出することにより、目標初期弾道に最も近い初期弾道を呈するゴルフクラブを選択するステップと、を有することを特徴とするゴルフクラブ選択方法を提供する。
【００１４】
その際、前記回転エネルギ量は、前記ゴルフクラブ長さと、前記ゴルフクラブの総質量と、前記慣性モーメントと、前記ゴルフクラブの重心点位置とが既知のゴルフクラブをゴルファがゴルフスウィングすることによって得られるゴルファのゴルフスウィング固有の量である。
また、複数本のゴルフクラブのそれぞれのヘッドスピードを求めるステップは、前記式（１）を用いてヘッドスピードを求めるのが好ましい。
【発明の効果】
【００１５】
本発明は、ゴルフクラブの慣性モーメント、ゴルフクラブの長さ、ゴルフクラブの総質量及びゴルフクラブの重心点位置のうちの少なくとも２つのパラメータの間を拘束する拘束条件を、ゴルフスウィング時のゴルフボール打撃直前のゴルフクラブの打撃方向に向けて回転する回転エネルギ量を用いて定め、この拘束条件を満たすパラメータの値を決定してゴルフクラブの設計に供する。このときの回転エネルギ量は、ゴルファのゴルフスウィングに固有の値であるので、ゴルフクラブの仕様に応じて変わるゴルフクラブのヘッドスピードを予測して算出することができる。このため、ゴルファのゴルフスウィングに最適な、例えば所望のヘッドスピードを呈するゴルフクラブを設計することができる。
また、仕様の異なる複数のゴルフクラブを用いて行ったゴルフスウィング時のヘッドスピードの測定結果から、ゴルファのゴルフスウィングに固有の回転エネルギ量を効率よく算出し、ゴルファのゴルフスウィングを評価することができる。
また、ゴルファのゴルフスウィングに固有の回転エネルギ量を用いて、仕様の異なる複数のゴルフクラブの中からゴルフクラブを選択するので、所望のヘッドスピードあるいはゴルフボールの所望の初期弾道を呈する、ゴルファのゴルフスウィングに適したゴルフクラブを提供することができる。
【発明を実施するための最良の形態】
【００１６】
以下、本発明のゴルフクラブ設計方法、ゴルフスウィング特性評価方法およびゴルフクラブの選択方法について、添付の図面に示される好適実施例を基に詳細に説明する。
【００１７】
図１（ａ）は、ゴルフクラブの一例を示す図である。
図１（ａ）に示すゴルフクラブ１０は、ゴルフクラブヘッド１２、ゴルフクラブシャフト１４、及びグリップ１６を有するウッド系ゴルフクラブである。
図１（ａ）中、ゴルフクラブの重心点Ｇは、ゴルフクラブシャフト１０の中心軸Ｓ上に、グリップ上端から距離ｌ離れて位置する。
図１（ｂ）に示すようにゴルフクラブ１０を水平面Ｐの上に置き、この水平面Ｐに対して角度６０度で傾斜した傾斜面Ｑをゴルフクラブヘッド１２のソール面に当て、ゴルフクラブシャフト１０の延長線上にある水平面と傾斜面との交差点１８を定めたとき、ゴルフクラブの長さＬは、交差点１８からグリップ上端１９までの距離となる。ゴルフクラブの長さＬは、財団法人日本ゴルフ協会発行の「ゴルフ規則  ２００４年度版」付属規則II.1.cに定める測定法により測定される。
【００１８】
図２は、ゴルフクラブ１０を把持してゴルファがゴルフスウィングを行う時のゴルフクラブ１０の挙動を模式的に説明する図である。
ゴルフクラブ１０はゴルフボール２０を打撃する直前、ゴルフクラブヘッド１２は点Ｏを中心とする円運動をし、ゴルフクラブシャフト１４はゴルフボール２０と点Ｏ（円運動の中心点）を結ぶ直線上に概略一致する。すなわち、ゴルフスウィング時のゴルフボール打撃直前において、点Ｏを中心として、ゴルフクラブの打撃方向（図２、図１中のＤ方向）に向けてゴルフクラブは回転運動を行う。点Ｏは、ゴルフクラブの重心点Ｇからグリップ方向のゴルフクラブシャフト中心軸の延長線上に位置する。この点Ｏはゴルファのゴルフスウィングに応じた固有の位置にある。
【００１９】
一方、ゴルフクラブヘッド１２のゴルフボール２０を打撃する直前のヘッドスピードは、ヘッドスピード計測装置１４で計測される。ヘッドスピード計測装置１４は、公知の計測装置であって、ビーム射出ユニット２２と、受光ユニット２４と、計測ユニット２６とを有して構成される。
計測ユニット２６は、２つの光ビームのそれぞれをゴルフクラブヘッド１２が横切ることで光ビームの受光が中断されるタイミングのずれを計測してヘッドスピードを算出する。ヘッドスピード計測装置１４は、インパクト直前のヘッドスピードを計測するために、インパクト直前のゴルフクラブヘッド軌道径路に沿って配置され、ゴルフボールの中心より飛球方向後方４０ｍｍを始点として、さらに飛球線方向後方に１００ｍｍ離れた位置までの区間にそれぞれ光ビームが配置されるのが望ましい。
【００２０】
図３は、本発明のゴルフクラブ設計方法、ゴルフスウィング特性評価方法およびゴルフクラブ選択方法を実施する装置３０のブロック図である。
装置３０は、オペレータから供給された入力データから、ゴルフクラブの慣性モーメント、ゴルフクラブの長さ、ゴルフクラブの総質量およびゴルフクラブの重心点位置（グリップ上端１９から重心点Ｇまでの距離）の少なくとも２つのパラメータの値を決定して出力する装置である。出力されたパラメータの値はゴルフクラブの設計に用いられる。また、予め登録されたゴルフクラブの中から、所望のヘッドスピードやゴルフボールの所望の初期弾道を呈するゴルフクラブを見出して、ゴルフクラブのブランド名や型式を出力する装置である。
装置３０は、外部データ取得部３２と、拘束条件設定部３４と、パラメータ設定部３６と、データベース３８と、初期弾道算出部４０と、ゴルフクラブ選択部４２とを有し、プリンタやモニタ等の出力装置４４と接続されている。
【００２１】
外部データ取得部３２は、ヘッドスピード計測装置１４等から入力されたヘッドスピードの情報やオペレータによるマウスやキーボード等から入力された入力情報等の各種情報を取得し、拘束条件設定部３４に供給する部分である。各種情報には、例えば実際にゴルフスウィングしたゴルフクラブのヘッドスピードの情報、ゴルフクラブの設計パラメータ、目標とするヘッドスピードの情報、後述するゴルフクラブのゴルフボール打撃直前の回転エネルギ量Ｅ及び定数Ｘ等の情報、目標とするゴルフボールの初期弾道パラメータ（初速度、打出角度、バックスピン量等）の情報が含まれる。
【００２２】
拘束条件設定部３４は、例えば、ヘッドスピードの情報とゴルフクラブの設計パラメータとが供給されると、このヘッドスピードの情報を用いて、後述するようにゴルフクラブのゴルフボール打撃直前の回転エネルギ量Ｅおよび定数Ｘを算出し、この算出結果を用いて、ゴルフクラブの設計パラメータを拘束する拘束条件を設定する。この他、オペレータによって入力された回転エネルギ量Ｅを用いてゴルフクラブの設計パラメータを拘束する条件を設定する部分である。
【００２３】
パラメータ設定部３６は、目標ヘッドスピードや目標初期弾道を呈するためのゴルフクラブの設計パラメータの値を設定し、出力装置４４に供給する部分である。
データベース３８は、ゴルフクラブのブランド名、型式とともに、ゴルフクラブの仕様（ゴルフクラブの慣性モーメント、ゴルフクラブの長さ、ゴルフクラブの総質量およびゴルフクラブの重心点位置等の設計パラメータ）とゴルフクラブヘッドの反発係数（打撃特性）とが対応づけられて記憶されている部分である。
初期弾道算出部４０は、データベース３８から呼び出された打撃特性とゴルフクラブの設計パラメータとを用いて、ゴルフクラブヘッドによる打出し直後のゴルフボールの初期弾道パラメータを算出する部分である。
【００２４】
ゴルフクラブ選択部４２は、データベース３８に記憶されたゴルフクラブのブランド名、型式の中から、目標とするゴルフボールの初期弾道パラメータに許容範囲内で一致する初期弾道パラメータを呈するゴルフクラブのブランド名、型式を選択して出力装置４４に供給する部分である。
【００２５】
このような装置３０はコンピュータによって実現され、ソフトウェアプログラムを実行することにより上記各部分が機能するように構成される。
【００２６】
このような装置３０は、種々の形態でゴルフクラブの設計パラメータやゴルフクラブのブランド名や型式等の情報をオペレータに提供することができる。
図４は、ゴルフクラブの仕様（設計パラメータ）が既知の複数のゴルフクラブを用いて行うゴルフスウィングのヘッドスピードの計測データを外部データ取得部３２が取得したときの処理方法であって、この計測データから後述する回転エネルギ量Ｅおよび定数Ｘを算出する方法を示すフローチャートである。回転エネルギ量Ｅおよび定数Ｘの算出は、拘束条件設定部３４にて行われる。
【００２７】
まず、ゴルファによってゴルフクラブの仕様が異なるゴルフクラブＡおよびゴルフクラブＢを用いてゴルフスウィングが行われる。ゴルフクラブＡは、ゴルフクラブの打撃方向にゴルフクラブが回転するときの、ゴルフクラブの重心点Ｇ回りのゴルフクラブの慣性モーメントＩca、ゴルフクラブの長さＬa、ゴルフクラブの総質量Ｗaおよびゴルフクラブの重心点位置ｌaの値が既知である。ここで、慣性モーメントＩcaは、ゴルフクラブシャフトの中心軸Ｓの方向（図１（ａ）参照）およびゴルフクラブの打撃方向（Ｄ方向；図１（ａ）参照）に直交する方向を軸とするゴルフクラブの重心点Ｇ回りの慣性モーメントである。一方ゴルフクラブＢも、ゴルフクラブの重心点Ｇ回りのゴルフクラブの慣性モーメントＩcｂ、ゴルフクラブの長さＬｂ、ゴルフクラブの総質量Ｗｂおよびゴルフクラブの重心点位置ｌｂの値が既知である。ゴルフクラブＡとＢとはゴルフクラブの仕様が異なっており、慣性モーメント、ゴルフクラブの長さ、ゴルフクラブの総質量およびゴルフクラブの重心点位置のいずれか１つが異なっている。
このようなゴルフクラブＡ，Ｂにおけるゴルフボール打撃直前のヘッドスピードＨＳa，ＨＳbがヘッドスピード計測装置１４を用いて計測され、装置３０に供給されて、外部データ取得部３２にて取得される（ステップＳ１０）。
【００２８】
次に、上記式（１）を用いて、定数Ｘと回転エネルギ量Ｅが算出される（ステップＳ１２，ステップＳ１４）。
具体的には、回転エネルギＥはゴルファのゴルフスウィング固有の値であり、仕様の異なるゴルフクラブに関わらず回転エネルギＥは一定である。このため、式（１）の回転エネルギＥが一定であることから、まず、下記式（２）を定数Ｘに関する方程式として定数Ｘが算出される（ステップＳ１２）。
１／２・［Ｉca＋Ｗa・(Ｘ＋ｌa）2］・[ＨＳa／（Ｘ＋Ｌa）］2
＝１／２・［Ｉcb＋Ｗb・(Ｘ＋ｌb）2］・[ＨＳb／（Ｘ＋Ｌb）］2    （２）
定数Ｘは、図２に示すようにゴルフボール打撃直前のゴルフクラブの打撃方向に向かって回転する時の点Ｏとグリップ上端１９の距離を表す。定数Ｘは２０００ｍｍ以下である。次に、この定数Ｘを用いて式（２）の左右両辺の値が回転エネルギ量Ｅとして算出される（ステップＳ１４）。
【００２９】
このように回転エネルギ量Ｅをゴルファのゴルフスウィングに固有の量として設定することができるのは、図５に示すようにゴルファＧa,Ｇbが設計パラメータの異なる種々のゴルフクラブを用いてスウィングして、ヘッドスピードＨＳが様々に変化しても、ゴルファＧa,Ｇbのそれぞれに固有の回転エネルギ量Ｅとゴルフクラブの設計パラメータとを用いてゴルファのヘッドスピードを予測算出することができるからである。しかも、ヘッドスピードの計測結果と算出結果の相関係数Ｒ2が０．９９０と極めて高い。
【００３０】
図５は、横軸をゴルフクラブの質量とし、縦軸をヘッドスピードとしたグラフを示す。図５中、黒塗りのプロットは計測されたヘッドスピードであり、白抜きのプロットは回転エネルギ量Ｅから算出されたヘッドスピードである。図５中、ゴルファＧa,Ｇbは互いに回転エネルギ量Ｅが異なり、ゴルファＧa,Ｇbの別にヘッドスピードが２つに分かれるとともに、計測結果と算出結果とが極めて良好に対応している。
なお、ヘッドスピードは、回転エネルギ量Ｅと、ゴルフクラブの設計パラメータ（仕様）を用いて式（１）を用いて算出することができる。
【００３１】
なお、図４に示す例では、２つのゴルフクラブＡ，Ｂを用いて定数Ｘおよび回転エネルギ量Ｅを算出するが、本発明では、仕様の異なる少なくとも２本以上のゴルフクラブを用いて算出することができる。例えば３本のゴルフクラブを用いて回転エネルギ量Ｅを算出する場合、３本のゴルフクラブの回転エネルギ量の偏差が最小となるように定数Ｘを求め、このときの３本の回転エネルギ量の平均値を回転エネルギ量Ｅとして設定すればよい。
【００３２】
また、本発明では、ステップＳ１４において算出された、ゴルフクラブに依存しないゴルファのゴルフスウィングに固有の回転エネルギ量Ｅとしてゴルファのゴルフスウィングの速度の評価に用いることができる。従来より、ヘッドスピード別にゴルファを区分けしてゴルフクラブを市場に提供することが知られているが、本発明のようにゴルフクラブに依存しないゴルファのゴルフスウィングに固有の回転エネルギ量Ｅを段階的に区分けして各段階毎に仕様が定められたゴルフクラブを市場に提供することができる。
【００３３】
さらに、装置３０は、図６に示すように、算出された回転エネルギ量Ｅと目標ヘッドスピードとを用いて、この目標ヘッドスピードを呈するゴルフクラブの設計パラメータを設定することができる。
まず、目標ヘッドスピードが外部データ取得部３２に供給され、さらに拘束条件設定部３４に供給される。
拘束条件設定部３４では、図４に示すフローに従って算出された回転エネルギ量Ｅおよび定数Ｘとともに、目標ヘッドスピードが設定され（ステップＳ２０）、さらに、式（１）を用いて、ゴルフクラブの設計パラメータ（慣性モーメントＩc、ゴルフクラブの長さＬ、ゴルフクラブの総質量Ｗおよびゴルフクラブの重心点位置ｌ）の拘束条件が設定される（ステップＳ２２）。
【００３４】
さらに、拘束条件設定部３４では、設定された拘束条件を用いて、各設計パラメータの値を定めた組みが１組以上設定される（ステップＳ２４）。拘束条件は設計パラメータ間の関係が制限されるだけなので、設計パラメータの値の組みを無限に設定することができる。しかし、例えばゴルフクラブの長さＬや総質量Ｗを所定の値又は所定の範囲に規定することにより、あるいは他の拘束条件によって上記設計パラメータの値のとり得る範囲を制限等して、各設計パラメータの値を定めた組みを複数設定することができる。
本発明では、式（１）を用いて設計パラメータの関係を拘束する拘束条件を用いて設計パラメータの値を設定する限りにおいて、どのような方法を別途併用してもよい。
【００３５】
図７（ａ），（ｂ）は、ゴルフクラブの設計パラメータの一例としてゴルフクラブのクラブ長さＬによってヘッドスピードＨＳがどのように変化するかを示す図である。
図７（ａ）は、スウィングバランスが一定（Ｄ−０）としたときの、あるゴルファのヘッドスピードＨＳの変化を示す。この他に、１インチクラブ長さが長くなる毎にゴルフクラブシャフトの質量が１ｇ上昇し、グリップ質量が４０ｇと一定であり、かつゴルフクラブヘッドの質量が一定である条件を課している。図７（ｂ）は、ゴルフクラブヘッドの質量を１９０ｇとしたときの図７（ａ）と同じゴルファのヘッドスピードＨＳの変化を示す。スウィングバランスとは、ゴルフクラブシャフトの中心軸Ｓと直交する軸回りの回転モーメントに関連した量である。現在、一般的には１４インチのスウィングバランス計を用いて測定する方法が主に行われる。この１４インチのスウィングバランス計は、ゴルフクラブの重心点Ｇからグリップ上端１９までの距離から１４インチ差し引いた値とゴルフクラブの総質量Ｗとの積に比例した尺度を求める測定器である。この測定器として株式会社三光精衡所製のスイングバランサーが挙げられる。
図７（ａ），（ｂ）からわかるように、課する条件の内容に応じてヘッドスピードＨＳの変化が大きく異なることがわかる。
【００３６】
さらに、装置３０は、図８に示すフローチャートに沿って、ゴルフボールの打撃特性を用いてゴルフボールの目標初速度を実現するゴルフクラブの設計パラメータを設定することもできる。
まず、目標ゴルフボールの初速度が外部データ取得部３２に供給され、さらに拘束条件設定部３４に供給される。
拘束条件設定部３４では、図４に示すフローに従って算出された回転エネルギ量Ｅおよび定数Ｘが設定され、式（１）を用いて、ゴルフクラブの設計パラメータ（ヘッドスピードＨＳ、慣性モーメントＩc、ゴルフクラブの長さＬ、ゴルフクラブの総質量Ｗおよびゴルフクラブの重心点位置ｌ）の関係式が設定される（ステップＳ３２）。
次に、打撃特性として、ゴルフクラブヘッドの反発係数とゴルフボールの質量が設定される（ステップＳ３４）。反発係数およびゴルフボールの質量は、ゴルフクラブヘッドの平均的な反発係数を用い、また特定の反発係数があればこの値を用いる。ゴルフボールは平均的なゴルフボールの質量を設定してもよいし、特定のゴルフボールの質量を用いてもよい。
【００３７】
次に、ゴルフクラブヘッドがゴルフボールを打撃直前のヘッドスピードＨＳに対して、ゴルフボールが打ち出されて飛び出す初速度をｖ、ゴルフボールの質量をｗとすると、下記式（３）のように反発係数ｅを用いて表すことができる。
ＨＳ  ＝  （Ｗ＋ｗ）・ｖ／［Ｗ・（１＋ｅ）］              （３）
したがって、ステップＳ３６で設定された拘束条件中のヘッドスピードＨＳに上記式（３）を代入することにより、ゴルフボールの初速度ｖ、慣性モーメントＩc、ゴルフクラブの長さＬ、ゴルフクラブの総質量Ｗおよびゴルフクラブの重心点位置ｌを用いた関係式が設定される（ステップＳ３６）。このような打撃特性は初期弾道算出部４０にて取得され、拘束条件設定部３４に供給される。
【００３８】
次に、拘束条件設定部３４にて、先に設定された目標ゴルフボールの初速度が上記設定された関係式に代入されて、各設計パラメータ間の拘束条件が設定される（ステップＳ３８）。
次に、パラメータ設定部３６にて、設定された拘束条件を用いて、ゴルフボールの初速度が目標初速度となるように各設計パラメータの値を定めた組みが１組以上設定される（ステップＳ３９）。このとき、拘束条件は設計パラメータの関係を制限するだけなので、設計パラメータの値の組みを無限に設定することができる。しかし、例えばゴルフクラブの長さＬや総質量Ｗを所定の値に規定することにより、あるいは他の拘束条件によって上記設計パラメータの値のとり得る範囲を制限等して、各設計パラメータの値を定めた組みを設定することができる。
【００３９】
このようにゴルフボールの初速度を算出するのは、ゴルフクラブヘッドのヘッドスピードＨＳはゴルフクラブヘッドの質量Ｗが大きくなる程低下するが、反対にゴルフクラブヘッドの質量Ｗが大きくなるのでゴルフクラブヘッドがゴルフボールに与えらる運動量は大きくなる。このため、ゴルフボールの初速度を増大させる場合、ゴルフクラブヘッドの質量Ｗに最適な範囲があることがわかる。本発明ではこのような最適な範囲を定めることができる。
【００４０】
さらに、装置３０は、図９に示すフローチャートに沿って、目標とするヘッドスピードを呈するゴルフクラブに最も近いゴルフクラブを、複数のゴルフクラブの中から選択することもできる。
データベース３８に、ゴルフクラブ毎に設計パラメータをゴルフクラブのブランド名、型式とともに登録しておく。
まず、外部データ取得部３２から、ゴルフクラブの目標ヘッドスピードが予め入力される。
拘束条件設定部３４では、図４に示すフローに従って算出された回転エネルギ量Ｅおよび定数Ｘとともに目標ヘッドスピードが設定され、さらに式（１）を用いて、ヘッドスピードＨＳとゴルフクラブの設計パラメータ（慣性モーメントＩc、ゴルフクラブの長さＬ、ゴルフクラブの総質量Ｗおよびゴルフクラブの重心点位置ｌ）との間の関係式が設定される（ステップＳ４０）。
【００４１】
次に、ゴルフクラブ選択部４２では、設定された関係式と、データベース３８に登録されたブランド名、型式別のゴルフクラブの設計パラメータ（慣性モーメントＩc、ゴルフクラブの長さＬ、ゴルフクラブの総質量Ｗおよびゴルフクラブの重心点位置ｌ）を呼び出して、各ゴルフクラブ毎にヘッドスピードＨＳが算出される（ステップＳ４２）。
次に、算出された複数のヘッドスピードＨＳのうち、ヘッドスピードＨＳが目標ヘッドスピードに最も近いゴルフクラブがブランド、型式別に選択される（ステップＳ４４）。このようにして、データベース３８に登録されているゴルフクラブの中から、目標ヘッドスピードを呈するゴルフクラブを選択することができる。ゴルフクラブの選択とは、選択されたゴルフクラブのブランド名、型式の情報が提供されることをいう。
【００４２】
さらに、装置３０は、図１０に示すフローチャートに沿って、目標とするゴルフボールの初速度を呈するゴルフクラブに最も近いゴルフクラブを、複数のゴルフクラブの中から選択することもできる。
データベース３８に、ゴルフクラブのブランド名、型式別に設計パラメータおよび打撃特性を登録しておく。
まず、外部データ取得部３２から、ゴルフボールの目標初速度が入力される。
拘束条件設定部３４では、図４に示すフローに従って算出された回転エネルギ量Ｅおよび定数Ｘとともに、ゴルフボールの目標初速度が設定される。さらに式（１）を用いて、ヘッドスピードＨＳとゴルフクラブの設計パラメータ（慣性モーメントＩc、ゴルフクラブの長さＬ、ゴルフクラブの総質量Ｗおよびゴルフクラブの重心点位置ｌ）との間の関係式が、拘束条件設定部３４にて設定される（ステップＳ５０）。
【００４３】
次に、初期弾道算出部４０では、ゴルフクラブの打撃特性（反発係数）がゴルフクラブのブランド名、型式別にデータベース３８から打撃特性が呼び出されて設定される（ステップＳ５２）。さらに、打撃特性（反発係数）と式（３）とを用いて、ゴルフボールの初速度とゴルフクラブの設計パラメータ（慣性モーメントＩc、ゴルフクラブの長さＬ、ゴルフクラブの総質量Ｗおよびゴルフクラブの重心点位置ｌ）との関係式が設定される（ステップＳ５４）。
次に、ゴルフクラブの各設計パラメータの値が上記関係式に代入されて、ゴルフボールの初速度が算出される（ステップＳ５６）。
次に、算出された複数の初速度のうち、目標初速度に最も近い初速度を呈するゴルフクラブがブランド名、型式別に選択される（ステップＳ５８）。このようにして、データベース３８に登録されているゴルフクラブの中から、ゴルフボールの目標初速度を呈するゴルフクラブを選択することができる。ゴルフクラブの選択とは、選択されたゴルフクラブのブランド名、型式の情報が提供されることをいう。
【００４４】
このように、本発明では、ゴルファのゴルフスウィングに固有の回転エネルギ量Ｅと定数Ｘとを用いて、ゴルファ毎に所望のヘッドスピードを実現する、あるいはゴルフボールが所望の初速度を呈するゴルフクラブを設計することができ、また、このようなゴルフクラブを予め取り揃えられた複数のゴルフクラブの中から選択することができる。
【００４５】
なお、定数Ｘは、ゴルファによって定まるゴルフスウィングを特徴付ける定数であるが、定数Ｘをすべてのゴルファに共通の値として固定することもできる。このようにしても、図５に示すような算出結果と計測結果の相関は大きく異ならないことが確かめられている。この場合、算出されるヘッドスピードやゴルフボールの初速度は、必ずしも実際の値と対応しないが、予め定められた補正を行うことで実際の値と対応させることができる。すなわち、定数Ｘをすべてのゴルファに共通の値（好ましくは、Ｘ＝０）として固定することは、簡易に計算を行ってヘッドスピードや初速度を算出する際には有効である。
【００４６】
また、上記式（１）中の［Ｉｃ＋Ｗ・（Ｘ＋ｌ）2］を、ゴルフスウィング時におけるゴルファが感じるゴルフクラブの重さを表す指標として評価することもできる。
すなわち、［Ｉｃ＋Ｗ・（Ｘ＋ｌ）2］は、ゴルファによって変わる定数Ｘを用いてゴルフボール打撃直前の回転運動するゴルフクラブの慣性を表す慣性モーメントであるので、この慣性モーメントをゴルファがグリップから感ずる重さとして表すことができる。
【００４７】
以上、本発明のゴルフクラブ設計方法、ゴルフスウィング特性評価方法およびゴルフクラブの選択方法について詳細に説明したが、本発明は上記実施形態に限定されず、本発明の主旨を逸脱しない範囲において、種々の改良や変更をしてもよいのはもちろんである。
【図面の簡単な説明】
【００４８】
【図１】（ａ）はゴルフクラブの一例を示す斜視図であり、（ｂ）はゴルフクラブの各寸法を説明する図である。
【図２】ゴルフクラブを把持してゴルファがゴルフスウィングを行う時のゴルフクラブの挙動を説明する図である。
【図３】本発明のゴルフクラブ設計方法、ゴルフスウィング特性評価方法およびゴルフクラブの選択方法を実施する装置のブロック図である。
【図４】本発明のゴルフスウィン特性評価方法の一例の流れを示すフローチャートである。
【図５】ゴルフクラブの質量とヘッドスピードとの関係を示す図である。
【図６】本発明のゴルフクラブ設計方法の一例の流れを示すフローチャートである。
【図７】（ａ），（ｂ）は、ゴルフクラブのゴルフクラブのクラブ長さに対するヘッドスピードの変化を示す図である。
【図８】本発明のゴルフクラブ設計方法の他の例の流れを示すフローチャートである。
【図９】本発明のゴルフクラブの選択方法の一例の流れを示すフローチャートである。
【図１０】本発明のゴルフクラブの選択方法の他の例の流れを示すフローチャートである。
【符号の説明】
【００４９】
１０  ゴルフクラブ
１２  ゴルフクラブヘッド
１４  ゴルフクラブシャフト
１６  グリップ
１８  起点
１９  端点
２０  ゴルフボール
２２  ビーム射出ユニット
２４  受光ユニット
２６  計測ユニット
３０  装置
３２  外部データ取得部
３４  拘束条件設定部
３６  パラメータ設定部
３８  データベース
４０  初期弾道算出部
４２  ゴルフクラブ選択部
４４  出力装置
【図１】
2005334249.tif 000003
【図２】
2005334249.tif 000004
【図３】
2005334249.tif 000005
【図４】
2005334249.tif 000006
【図５】
2005334249.tif 000007
【図６】
2005334249.tif 000008
【図７】
2005334249.tif 000009
【図８】
2005334249.tif 000010
【図９】
2005334249.tif 000011
【図１０】
2005334249.tif 000012